(57)【特許請求の範囲】
【請求項１】
物理アップリンク共用チャネルPUSCHには二つの伝送ブロック/コードワードストリームが存在する場合に、其の中の一つの伝送ブロック/コードワードストリームのみを選択して、アップリンク制御シグナリングをキャリングし、前記アップリンク制御シグナリングを選択された伝送ブロック/コードワードストリームと対応する層にマッピングして伝送することを含むことを特徴とする物理アップリンク共用チャネルにおいてアップリンク制御シグナリングを伝送する方法。
【請求項２】
前記アップリンク制御シグナリングをキャリングする伝送ブロック/コードワードストリームは固定番号の伝送ブロック/コードワードストリームであることを特徴とする請求項１に記載の方法。
【請求項３】
前記アップリンク制御シグナリングをキャリングする伝送ブロック/コードワードストリームはシグナリングが指示する伝送ブロック/コードワードストリームであることを特徴とする請求項１に記載の方法。
【請求項４】
基地局に選定されたコーディング変調方式に基づいて、前記PUSCHにおける伝送ブロック/コードワードストリームの索引を確定し、且つユーザ端末に通知することをさらに含むことを特徴とする請求項１に記載の方法。
【請求項５】
前記アップリンク制御シグナリングをキャリングする伝送ブロック/コードワードストリームはコーディング変調シグナリング索引がわりに大きい伝送ブロック/コードワードストリームであることを特徴とする請求項4に記載の方法。
【請求項６】
前記伝送ブロック/コードワードストリームが再伝送の伝送ブロック/コードワードストリームである場合に、前記伝送ブロック/コードワードストリームを最初に伝送する時のコーディング変調シグナリング索引を、再伝送の伝送ブロック/コードワードストリームのコーディング変調シグナリング索引とすることをさらに含むことを特徴とする請求項５に記載の方法。
【請求項７】
前記アップリンク制御シグナリングをキャリングする伝送ブロックは、伝送ブロック/コードワードストリームの大きさと前記伝送ブロック/コードワードストリームが占めた資源ブロックの大きさとの比の値がわりに大きい伝送ブロック/コードワードストリームであることを特徴とする請求項１に記載の方法。
【請求項８】
前記伝送ブロック/コードワードストリームが占めた資源ブロックの大きさは前記アップリンク制御シグナリングをキャリングするPUSCHが占めた物理資源ブロックの大きさであることを特徴とする請求項７に記載の方法。
【請求項９】
マッピングユニットと伝送ユニットとを含み、其の中、
マッピングユニットは、物理アップリンク共用チャネルPUSCHに二つの伝送ブロック/コードワードストリームが存在する場合に、その中の一つの伝送ブロック/コードワードストリームのみを選択してアップリンク制御シグナリングをキャリングし、前記アップリンク制御シグナリングを選択された伝送ブロック/コードワードストリームと対応する層にマッピングすることに用いられ、
伝送ユニットは、前記アップリンク制御シグナリングを伝送することに用いられることを特徴とする物理アップリンク共用チャネルにおいてアップリンク制御シグナリングを伝送する装置。
【請求項１０】
前記アップリンク制御シグナリングをキャリングする伝送ブロック/コードワードストリームは固定番号の伝送ブロック/コードワードストリームであることを特徴とする請求項９に記載の装置。
【請求項１１】
前記アップリンク制御シグナリングをキャリングする伝送ブロック/コードワードストリームはシグナリングが指示する伝送ブロック/コードワードストリームであることを特徴とする請求項９に記載の装置。
【請求項１２】
前記装置は確定ユニットと通知ユニットとをさらに含む、其の中、
確定ユニットは、選定したコーディング変調方式に基づいて、PUSCHにおける伝送ブロック/コードワードストリームの索引を確定するに用いられ、
通知ユニットは、前記伝送ブロック/コードワードストリームの索引をユーザ端末に通知するに用いられることを特徴とする請求項９に記載の装置。
【請求項１３】
前記アップリンク制御シグナリングをキャリングする伝送ブロック/コードワードストリームはコーディング変調シグナリング索引がわりに大きい伝送ブロック/コードワードストリームであることを特徴とする請求項１２に記載の装置。
【請求項１４】
前記伝送ブロック/コードワードストリームは再伝送の伝送ブロック/コードワードストリームである場合に、前記伝送ブロック/コードワードストリームを最初伝送する時のコーディング変調シグナリング索引を、再伝送の伝送ブロック/コードワードストリームのコーディング変調シグナリング索引とすることを特徴とする請求項１３に記載の装置。
【請求項１５】
前記アップリンク制御シグナリングをキャリングする伝送ブロック/コードワードストリームは、伝送ブロック/コードワードストリームの大きさと前記伝送ブロック/コードワードストリームが占めた資源ブロックの大きさとの比の値がわりに大きい伝送ブロック/コードワードストリームであることを特徴とする請求項９に記載の装置。
【請求項１６】
前記伝送ブロック/コードワードストリームが占めた資源ブロックの大きさは前記アップリンク制御シグナリングをキャリングするPUSCHが占めた物理資源ブロックの大きさであることを特徴とする請求項15に記載の装置。
【発明の詳細な説明】
【技術分野】
【０００１】
本発明はアップリンク制御シグナリングの伝送技術に関し、特に物理アップリンク共用チャネル（PUSCH、Physical Uplink Shared Channel）においてアップリンク制御シグナリングを伝送する方法及び装置に関する。
【背景技術】
【０００２】
ロングタームエボリューションシステム（LTE、Long Term Evolution）では、アップリンクにおいて要求的に伝送する制御シグナリングは正しい／違いの応答メッセージ（ACK/NACK、Acknowledgement/Negative Acknowledgement）、及びダウンリンク物理チャネル状態を反映する情報の三つの形式：チャネル品質指示（CQI、Channel Quality Indication）、プリコーディング行列指示（PMI、Pre-coding Matrix Indicator）、ランク指示（RI、Rank Indicator）を備える。
【０００３】
LTEシステムでは、ACK/NACK応答メッセージが物理アップリンク制御チャネル（PUCCH、Physical Uplink Control Channel）においてフォーマット1/1a/1b（PUCCH format1/1a1/b）で伝送される。ユーザはアップリンクデータを送信する必要があると、該アップリンクデータが物理アップリンク共用チャネルにおいて伝送され、CQI/PMI、RIのフィードバックが周期的にフィードバックでよい、非周期的にフィードバックでもよい。具体のフィードバックを表１に示す。
【表１】
0005512818.tif 000002
【０００４】
其の中、周期的にフィードバックしたCQI/PMI、RIに対して、UEがアップリンクデータを送信する必要がないと、周期的にフィードバックしたCQI/PMI、RIがPUCCHにおいてフォーマット2/2a/2b（PUCCH format2/2a/2b）で伝送され、UEがアップリンクデータを送信する必要があると、CQI/PMI、RIがPUCCHにおいて伝送される。非周期的にフィードバックしたCQI/PMI、RIに対して、PUCCHだけにおいて伝送される。
【０００５】
図１はLTEシステムにおいてアップリンク制御シグナリングとアップリンクデータとの多重化方式の模式図である。図１に示すように、其の中の縦線でカバーされた領域がキャリングするのはCQI/PMI情報キャリングであり、斜線でカバーされた領域がキャリングするのはRI情報であり、シャドウでカバーされた領域がキャリングするのはACK/NACK応答メッセージであり、しかし、ブランク部分がキャリングするのはアップリンクデータである。図２はLTEシステムにおいてアップリンク制御シグナリングとアップリンクデータを多重化する時のチャネルエンコード過程模式図である。図２に示すように、LTEシステムにおけるアップリンクデータが伝送ブロック(TB、TransportBlock)の形式で伝送され、TB は巡回冗長検査追加(CRC  attachment)、コードブロック分割(Code block segmentation)とサブブロックCRC追加(Code block CRC attachment)、チャネルエンコード(Channel coding)、レートマッチング(Rate matching)、コードブロック合成(Code block concatenation)及びエンコードを経た後、CQI/PMIに対してアップリンクデータと制御シグナリングの多重化を行い、最後にチャネルインターリービングによってエンコードされたACK/NACK応答メッセージとRIシグナリングとデータとを一緒に多重化する。図３はLTEシステムにおいてPUSCH伝送方式模式図である。図３に示すように、図面からわかるように、PUSCHはシングルアンテナの形式で伝送するため、PUSCHは一つの伝送ブロックだけに対応し、該伝送ブロックはチャネルエンコードを経れば、一つのコードワードストリームに成て、つまりLTEシステムにおいて、PUSCHには一つのコードワードストリームだけが存在する。其の中、アップリンク制御シグナリングのエンコード過程：先ず目標長さを計算し、そしてチャネルエンコードを行い、ACK/NACKとRIとのエンコード方式は同じである。ACK/NACK応答メッセージまたはRI情報は１ビットとすると、変調方式がQPSKである場合に、エンコードした後の情報は［Ｏ０，ｙ］であり、変調方式が16QAMである場合に、エンコードした後の情報は［Ｏ０，ｙ，ｘ，ｘ］であり、変調方式が64QAMである場合に、エンコードした後の情報は［Ｏ０，ｙ，ｘ，ｘ，ｘ，ｘ］であり、其の中、Ｏ０はACK/NACK応答メッセージまたはRI情報を示し、ｘ，ｙはスクランブリングに用いられる時に最大化変調シンボルのユークリッド距離のプレースホルダを示する。ACK/NACK応答メッセージまたはRI情報は２ビットとすると、変調方式がQPSKである場合に、エンコードした後の情報は［Ｏ０，Ｏ１，Ｏ２，Ｏ０，Ｏ１，Ｏ２］であり、変調方式が16QAMである場合に、エンコードした後の情報は［Ｏ０，Ｏ１，ｘ，ｘ，Ｏ２，Ｏ０，ｘ，ｘ，Ｏ１，Ｏ２，ｘ，ｘ］であり、変調方式が64QAMである場合に、エンコードした後の情報は［Ｏ０，Ｏ１，ｘ，ｘ，ｘ，ｘ，Ｏ２，Ｏ０，ｘ，ｘ，ｘ，ｘ，Ｏ１，Ｏ２，ｘ，ｘ，ｘ，ｘ］であり、其の中、Ｏ０，Ｏ１は２ビットのACK/NACK応答メッセージまたはRI情報を示す。
【数１】
0005512818.tif 000003
【０００６】
LTEシステムにはACK/NACK応答メッセージの個数は２ビットより大きい情況が存在することにより、例えばTDDシステムにおいて、ACK/NACK応答メッセージは２ビットより大きい場合に、線形ブロック符号を採用してエンコードを行い、例えば、(32,O)のエンコードモードを採用してエンコードを行い、其の中、Oはエンコードする前のデータのビット数を示し、32はデータに対してエンコードした後のビット数を示す。CQI/PMIのビット数は１１ビットより小さくて等しい場合に、CQIは(32,O)のエンコードモードを採用してエンコードを行い、そうでなければ、先ずCRC追加を行い、そして、図４に示すコードワード長さ７、コードレート1/3のテールバイティング畳み込み符号のエンコードモードを採用してエンコードを行い、最後に、ACK/NACK応答メッセージ、RI、CQI/PMIはエンコードした後のビットを、目標長さに満足するまで繰り返し、エンコードした後の情報ビットはそれぞれ
【数２】
0005512818.tif 000004
【数３】
0005512818.tif 000005
【０００７】
其の中RI情報とACK/NACK応答情報との予定位置は表２及び表３に示すようになる。
【表２】
0005512818.tif 000006
【表３】
0005512818.tif 000007
【０００８】
LTEシステムにおいて、eNBはPDCCHによって変調エンコード索引ＩＭＣＳをUEに送信し、eNBは変調エンコード索引ＩＭＣＳとPDCCHとの変調方式、伝送ブロック大きさ、冗長バージョン等の相関情報及び其の間の関係を規定する、表４に示すように：
【表４】
0005512818.tif 000008
【０００９】
LTEシステムには、また、伝送ブロック索引と伝送ブロック大きさとの間の関係に基づいて、伝送ブロック大きさと資源ブロック大きさに基づいてコードレートを得ることが規定される。
【００１０】
LTEのエボリューション標準とする先進的ロングタームエボリューションシステム（LTE、Long Term Evolution  Advanced）は更なる大きいアップリンク伝送の形式を支えるため、PUSCHの伝送は空間分割多重化の形式を支える。空間分割多重化の形式を採用して伝送するPUSCHに対して、相関の技術は、コードワードストリームから層までのマッピング関係がLTEシステムダウンリンク伝送時にコードワードストリームから層までマッピングと同じであることを与えた。
【００１１】
具体のマッピング過程は表５に示すように、
【表５】
0005512818.tif 000009
【数４】
0005512818.tif 000010
【００１２】
LTE-Aシステムでは、PUSCHの伝送は空間分割多重を支え、しかし、従来の技術において、PUSCHは空間分割多重を採用する場合に、PUSCHにおいてアップリンク制御シグナリングを伝送する解決方案を与えない。
【発明の概要】
【発明が解決しようとする課題】
【００１３】
上記事情に鑑みてなされたもので、本発明は、PUSCHには二つの伝送ブロック/コードワードストリームが存在する場合に、アップリンク制御シグナリングの伝送を実現できる物理アップリンク共用チャネルにおいてアップリンク制御シグナリングを伝送する方法及び装置を提供することを主に目的とする。
【課題を解決するための手段】
【００１４】
上記の目的を達成するため、本発明の技術方案はこのように実現されたのである。
【００１５】
物理アップリンク共用チャネルにおいてアップリンク制御シグナリングを伝送する方法は、物理アップリンク共用チャネルPUSCHには二つの伝送ブロック/コードワードストリームが存在する場合に、アップリンク制御シグナリングを其の中の一つの伝送ブロック/コードワードストリームと対応する層にマッピングして伝送することを含む。
【００１６】
好ましく、前記アップリンク制御シグナリングをキャリングする伝送ブロック/コードワードストリームは固定番号の伝送ブロック/コードワードストリームである。
【００１７】
好ましく、前記アップリンク制御シグナリングをキャリングする伝送ブロック/コードワードストリームはシグナリングが指示する伝送ブロック/コードワードストリームである。
【００１８】
好ましく、前記方法は、
基地局は、選定したコーディング変調方式に基づいて、前記PUSCHにおいて伝送ブロック/コードワードストリームの索引を確定し、その中、伝送ブロック/コードワードストリームに対応するコーディング変調シグナリングは基地局によってユーザ端末に通知することをさらに含む。
【００１９】
好ましく、前記アップリンク制御シグナリングをキャリングする伝送ブロック/コードワードストリームは、コーディング変調シグナリング索引のわりに大きい伝送ブロック/コードワードストリームである。
【００２０】
好ましく、前記方法は、
前記伝送ブロック/コードワードストリームは、再伝送の伝送ブロック/コードワードストリームである場合に、前記伝送ブロック/コードワードストリームを最初に伝送する時のコーディング変調シグナリング索引を、再伝送の伝送ブロック/コードワードストリームのコーディング変調シグナリング索引とすることをさらに含む。
【００２１】
好ましく、前記アップリンク制御シグナリングをキャリングする伝送ブロックは、伝送ブロック/コードワードストリームの大きさと前記伝送ブロック/コードワードストリームが占めた資源ブロックの大きさとの比がわりに大きい伝送ブロック/コードワードストリームである。
【００２２】
好ましく、前記伝送ブロック/コードワードストリームが占めた資源ブロックの大きさは前記アップリンク制御シグナリングをキャリングするPUSCHが占めた物理資源ブロックの大きさである。
【００２３】
物理アップリンク共用チャネルにおいてアップリンク制御シグナリングを伝送する装置であり、前記装置は、マッピングユニットと伝送ユニットとを含む。其の中、
マッピングユニットは、物理アップリンク共用チャネルPUSCHには二つの伝送ブロックが存在する場合に、アップリンク制御シグナリングをその中の一つの伝送ブロック/コードワードストリームと対応する層にマッピングすることに用いられる。
【００２４】
伝送ユニットは、前記アップリンク制御シグナリングを伝送することに用いられる。
【００２６】
前記装置は、前記アップリンク制御シグナリングをマッピングする伝送ブロック/コードワードストリームを、固定番号の伝送ブロック/コードワードストリームに設置すること、または、前記アップリンク制御シグナリングをマッピングする伝送ブロック/コードワードストリームを、固定番号の伝送ブロック/コードワードストリームに設置する事に用いられる設置ユニットをさらに含む。
【００２７】
好ましく、前記装置は確定ユニットと通知ユニットとをさらに含む。其の中、
確定ユニットは、選定したコーディング変調方式に基づいて、PUSCHにおける伝送ブロック/コードワードストリームの索引を確定することに用いられる。
【００２９】
好ましく、前記装置は、前記アップリンク制御シグナリングをマッピングする伝送ブロック/コードワードストリームをコーディング変調シグナリング索引がわりに大きい伝送ブロック/コードワードストリームに設置することに用いられる設置ユニットをさらに含む。
【００３０】
好ましく、前記伝送ブロック/コードワードストリームは再伝送の伝送ブロック/コードワードストリームである場合に、前記伝送ブロック/コードワードストリームを最初に伝送する時のコーディング変調シグナリング索引を、再伝送の伝送ブロック/コードワードストリームのコーディング変調シグナリング索引とする。
【００３１】
好ましく、前記アップリンク制御シグナリングをキャリングする伝送ブロック/コードワードストリームは、伝送ブロック/コードワードストリームの大きさと前記伝送ブロック/コードワードストリームが占めた資源ブロックの大きさとの比がわりに大きい伝送ブロック/コードワードストリームである。
【００３２】
好ましく、前記伝送ブロック/コードワードストリームが占めた資源ブロックの大きさは前記アップリンク制御シグナリングをキャリングするPUSCHが占めた物理資源ブロックの大きさである。
【発明の効果】
【００３３】
本発明では、PUSCHには二つの伝送ブロック/コードワードストリームが存在する場合に、其の中の一つの伝送ブロック/コードワードストリームだけを選択して、アップリンク制御シグナリングをキャリングし、UEは、選定した伝送ブロック/コードワードストリームの索引に基づいて、アップリンク制御シグナリングのエンコードモードを確定し、エンコードした後に伝送を行う。本発明は、PUSCHには二つの伝送ブロック/コードワードストリームが存在した場合のアップリンク制御シグナリングのキャリング 問題を解決し、アップリンク制御シグナリングを基地局側に送信することを保証した。本発明は、LTE-AシステムにおいてPUSCHは空間分割多重を採用場合に、アップリンク制御シグナリングをPUSCHにおいて伝送する問題を有効的に解決し、データの容量を保証し、各種のモードで選択された伝送ブロックと対応したチャネル品質が比較的に良いため、アップリンク制御シグナリングの伝送品質を保証できる。
【図面の簡単な説明】
【００３４】
【図１】はLTEシステムにおいてアップリンク制御シグナリングとアップリンクデータとの多重化モードの模式図である。
【図２】はLTEシステムにおいてアップリンク制御シグナリングとアップリンクデータとを多重化する時のチャネルエンコード過程模式図である。
【図３】はLTEシステムにおいてPUSCH伝送モード模式図である。
【図４】はコードワード長さ７ビット、コードレート1/3のテールバイティング畳み込み符号のエンコード模式図である。
【図５】は本発明の物理アップリンク共用チャネルにおいてアップリンク制御シグナリングを伝送する装置の構成模式図である。
【発明を実施するための形態】
【００３５】
本発明の基本な思想は、PUSCHには二つの伝送ブロック/コードワードストリームが存在した場合に、其の中の一つの伝送ブロック/コードワードストリームだけを選択してアップリンク制御シグナリングをキャリングする。本発明はPUSCHには二つの伝送ブロック/コードワードストリームが存在した場合のアップリンク制御シグナリングのキャリング問題を解決し、アップリンク制御シグナリングを基地局側に送信することを保証した。
【００３６】
本発明の目的、技術方案、及びメリットをよりはっきりさせるため、以下、実施例を挙げながら図面を参照し、本発明をさらに詳しく説明する。
【００３７】
実施例一
【数５】
0005512818.tif 000011
【００３８】
本例では、ネットワーク側は二つの伝送ブロックのチャネル条件を考える必要もない、然しTB1においてアップリンク制御シグナリングを伝送する。
【００３９】
実施例二
【数６】
0005512818.tif 000012
【００４０】
実施例三
【数７】
0005512818.tif 000013
【００４１】
実施例四
【数８】
0005512818.tif 000014
【００４２】
実施例五
【数９】
0005512818.tif 000015
【００４３】
実施例六
【数１０】
0005512818.tif 000016
【００４４】
図５は本発明の物理アップリンク共用チャネルにおいてアップリンク制御シグナリングを伝送する装置の構成模式図である。図５に示すように、本発明の物理アップリンク共用チャネルにおいてアップリンク制御シグナリングを伝送する装置は、マッピングユニット50と伝送ユニット51とを含む。其の中、マッピングユニット50は、PUSCHには二つの伝送ブロックが存在する場合に、アップリンク制御シグナリングを、その中の一つの伝送ブロック/コードワードストリームと対応する層にマッピングすることに用いられる。伝送ユニット５１は、前記アップリンク制御シグナリングを伝送することに用いられる。
【００４６】
前記装置は、前記アップリンク制御シグナリングをマッピングする伝送ブロック/コードワードストリームを、固定番号の伝送ブロック/コードワードストリームに設置すること、または、前記アップリンク制御シグナリングをマッピングする伝送ブロック/コードワードストリームを、固定番号の伝送ブロック/コードワードストリームに設置する事に用いられる設置ユニットをさらに含む。
【００４７】
前記装置は確定ユニットと通知ユニットとをさらに含む。其の中、確定ユニットは、基地局が選定したコーディング変調方式に基づいて、PUSCHにおける伝送ブロック/コードワードストリームのコーディング変調シグナリング索引を確定することに用いられる。設置ユニットは、前記アップリンク制御シグナリングをマッピングする伝送ブロック/コードワードストリームを、コーディング変調シグナリング索引がわりに大きい伝送ブロック/コードワードストリームに設置することに用いられる。伝送ブロック/コードワードストリームは再伝送の伝送ブロック/コードワードストリームである場合に、前記伝送ブロック/コードワードストリームの最初伝送する時の索引を、再伝送の伝送ブロック/コードワードストリームのコーディング変調シグナリング索引とする。
【００４８】
図５における確定ユニットと通知ユニットを図示しないが、其の機能、及び、其の前記のマッピングユニット50及び伝送ユニット51との情報インタラクティブは明晰である。
【００４９】
または、前記アップリンク制御シグナリングをキャリングする伝送ブロック/コードワードストリームは、伝送ブロック/コードワードストリームの大きさと前記伝送ブロック/コードワードストリームが占めた資源ブロックの大きさとの比がわりに大きい伝送ブロック/コードワードストリームである。
【００５０】
または、前記伝送ブロック/コードワードストリームが占めた資源ブロックの大きさは、前記アップリンク制御シグナリングをキャリングするPUSCHが占めた物理資源ブロックの大きさである。
【００５１】
本領域の技術者は理解すべき、図５に示す物理アップリンク共用チャネルにおいてアップリンク制御シグナリングを伝送する装置は、前記の物理アップリンク共用チャネルにおいてアップリンク制御シグナリングを伝送する方法を実現するために設定された。図５に示すシステムでは、前記実施例一から六までの説明が参照され、各処理ユニットの機能が理解される。各処理ユニットの機能は、プロセッサにおいて運行するプログラムから実現でき、具体のロジック回路からも実現できる。
【００５２】
以上は本発明のより良い実施例だけであり、本発明の保護範囲を限定することを用いられない。
【図１】
0005512818.tif 000017
【図２】
0005512818.tif 000018
【図３】
0005512818.tif 000019
【図４】
0005512818.tif 000020
【図５】
0005512818.tif 000021